(57)【特許請求の範囲】
【請求項１】
ショーケース本体の上面に所定方向に移動自在に設けられた引戸を備え、引戸の前記所定方向一端側及び他端側にそれぞれ設けた支持部材を引戸レールによって移動自在に支持するとともに、ショーケース本体の上面には前記所定方向他端側に移動した引戸を収容する引戸収容部を設けたショーケースにおいて、
前記引戸レールを引戸収容部内に位置する部分の上下位置を低く、引戸収容部の外部に位置する部分の上下位置を高く形成した
ことを特徴とするショーケース。
【請求項２】
前記引戸レールを、引戸の前記所定方向一端側の支持部材を支持する第１レール部と、引戸の前記所定方向他端側の支持部材を支持する第２レール部とから構成するとともに、
第１レール部には勾配の小さい長い傾斜区間を設け、第２レール部には勾配の大きい短い傾斜区間を設けた
ことを特徴とする請求項１記載のショーケース。
【請求項３】
前記第１レール部の前記所定方向一端側に第１レール部の前記傾斜区間とは逆勾配の傾斜区間を設けた
ことを特徴とする請求項２記載のショーケース。
【発明の詳細な説明】
【０００１】
【発明の属する技術分野】
本発明は上面に商品を出し入れするための引戸を有するショーケースに関するものである。
【０００２】
【従来の技術】
従来、この種のショーケースとしては、例えば特開平５−２６５６７号公報に記載されているように、ショーケース本体の上面前部を開閉する引戸を備え、引戸を引戸レールによってショーケース本体の前後方向に移動自在に支持するとともに、ショーケース本体の上面後部には後方に移動した引戸を収容する引戸収容部を設けたショーケースが知られている。
【０００３】
【発明が解決しようとする課題】
しかしながら、従来のショーケースでは、引戸収容部が引戸の上方を覆うように形成されるため、引戸収容部の外部に位置する引戸と引戸収容部の上面との間に段差が生じ、外観上の見栄えを損なうという問題点があった。
【０００４】
本発明は前記問題点に鑑みてなされたものであり、その目的とするところは、引戸収容部の外部に位置する引戸と引戸収容部の上面との間の段差を解消することのできるショーケースを提供することにある。
【０００５】
【課題を解決するための手段】
本発明は前記目的を達成するために、請求項１では、ショーケース本体の上面に所定方向に移動自在に設けられた引戸を備え、引戸の前記所定方向一端側及び他端側にそれぞれ設けた支持部材を引戸レールによって移動自在に支持するとともに、ショーケース本体の上面には前記所定方向他端側に移動した引戸を収容する引戸収容部を設けたショーケースにおいて、前記引戸レールの引戸収容部内に位置する部分の上下位置を低く、引戸収容部の外部に位置する部分の上下位置を高く形成している。これにより、引戸収容部内から所定方向一端側に移動した引戸が上昇することから、引戸収容部の外部に位置する引戸と引戸収容部の上面との間の段差が解消される。
【０００６】
また、請求項２では、請求項１記載のショーケースにおいて、前記引戸レールを、引戸の所定方向一端側の支持部材を支持する第１レール部と、引戸の所定方向他端側の支持部材を支持する第２レール部とから構成するとともに、第１レール部には勾配の小さい長い傾斜区間を設け、第２レール部には勾配の大きい短い傾斜区間を設けている。これにより、請求項１の作用に加え、引戸の所定方向一端側の支持部材が第１レール部によって徐々に上昇することから、引戸が引戸レールの勾配による大きな抵抗を受けることなく前方へ移動し、しかも移動時の引戸の傾斜が小さくなる。
【０００７】
また、請求項３では、請求項２記載のショーケースにおいて、前記第１レール部の前記所定方向一端側に第１レール部の前記傾斜区間とは逆勾配の傾斜区間を設けている。これにより、請求項２の作用に加え、引戸が引戸レールの所定方向一端側まで移動すると、引戸の所定方向一端側の支持部材が第１レール部の逆勾配の傾斜区間によって下降することから、逆勾配の傾斜区間によって支持部材の所定方向他端側への移動が規制される。
【０００８】
【発明の実施の形態】
図１乃至図７は本発明の一実施形態を示すもので、図１はショーケースの全体斜視図、図２はその正面断面図、図３はその側面断面図、図４はその要部平面図、図５は引戸の要部平面図、図６は引戸レールの側面図、図７は引戸の動作説明図である。
【０００９】
このショーケースは、ショーケース本体１の幅方向に並設された二つの商品収納部２を有し、ショーケース本体１の上面には各商品収納部２をそれぞれ開閉する二つの引戸３と、各引戸３を支持する複数の引戸レール４と、各引戸３を収容する引戸収容部５が設けられている。
【００１０】
ショーケース本体１は、両側面及び底面を覆う断熱箱１ａと、上面後部を覆う断熱壁１ｂとを有し、断熱箱１ａの下方には機械室１ｃが設けられている。
【００１１】
各商品収納部２は断熱箱１ａの中央に配置された断熱壁２ａによって仕切られ、各商品収納部２の下方には各商品収納部２に連通する通風室２ｂが設けられている。通風室２ｂ内には送風機６及び冷却器７が設けられ、各商品収納部２から通風室２ｂ内に吸入した空気を冷却器７によって冷却し、各商品収納部２内に吐出するようになっている。また、各商品収納部２内には複数の商品棚２ｃが取付けられ、各商品棚２ｃにはヒータ２ｄが設けられている。
【００１２】
各引戸３は幅方向両端にそれぞれ支持部材としての前輪３ａ及び後輪３ｂを有し、前輪３ａ及び後輪３ｂは引戸３の幅方向に互いに位置をずらして設けられている。また、各引戸３の前端側には開閉用の把持片３ｃが設けられている。
【００１３】
各引戸レール４は互いに幅方向に並設された第１レール部４ａ及び第２レール部４ｂからなり、第１レール部４ａは引戸３の前輪３ａを支持し、第２レール部４ｂは引戸３の後輪３ｂを支持している。また、各レール部４ａ，４ｂは引戸収容部５内に位置する部分の上下位置を低く、引戸収容部５の外部に位置する部分の上下位置を高く形成しており、それぞれ引戸収容部５の外部に傾斜区間Ｌ1 ，Ｌ2 を設けている。この場合、第１レール部４ａの傾斜区間Ｌ1 は小さい勾配で長く形成され、第２レール部４ｂの傾斜区間Ｌ2 は大きい勾配で短く形成されている。また、第１レール部４ａの前端側には、傾斜区間Ｌ1 と逆勾配の傾斜区間Ｌ3 が設けられている。
【００１４】
引戸収容部５はショーケース本体１の上面後部に設けられ、後方に移動した引戸３を上方から覆うように形成されている。即ち、引戸収容部５は前端側を引戸挿通用に開口しており、その上面はショーケース本体１の上面に沿って平坦に形成されている。
【００１５】
以上のように構成されたショーケースにおいて、任意の引戸３を後方に移動させると、引戸３が各引戸レール４に案内されて引戸収容部５内に収容され、引戸３を前方に移動させると、引戸３が各引戸レール４に案内されて引戸収容部５内から進出する。その際、引戸レール４は引戸収容部５内に位置する部分の上下位置を低く、引戸収容部５の外部に位置する部分の上下位置を高く形成されていることから、引戸３を引戸収容部５内から前方に移動させると引戸３が上昇し、引戸収容部５の外部に位置する引戸３と引戸収容部５の上面との間の段差が解消される。また、引戸３の前輪３ａは引戸レール４の第１レール部４ａによって案内され、引戸３の後輪３ｂは引戸レール４の第２レール部４ｂによって案内されることから、引戸３が前方に移動する際、図５に示すように引戸３の前輪３ａが第１レール部４ａの傾斜区間Ｌ1 によって徐々に上昇し、引戸３の後輪３ｂは第２レール部４ｂの傾斜区間Ｌ1 によって引戸３の前方への移動がほぼ完了する時点で上昇する。更に、引戸３が引戸レール４の前端側まで移動すると、引戸３の前輪３ａが第１レール部４ａの傾斜区間Ｌ3 によって僅かに下降する。
【００１６】
このように、本実施形態のショーケースによれば、引戸レール４の引戸収容部５内に位置する部分の上下位置を低く、引戸収容部５の外部に位置する部分の上下位置を高く形成することにより、引戸収容部５内から前方に移動した引戸３を上昇させるようにしたので、引戸収容部５の外部に位置する引戸３と引戸収容部５の上面との間の段差を解消することができ、外観上の見栄えを向上させることができる。また、引戸３の前輪３ａを第１レール部４ａによって徐々に上昇させるようにしたので、引戸３を引戸レール４の勾配による大きな抵抗を受けることなく前方へ移動させることができ、引戸３の開閉操作を円滑に行うことができる。更に、引戸３が引戸レール４の前端側まで移動すると、引戸３の前輪３ａを第１レール部４ａの傾斜区間Ｌ3 によって僅かに下降させるようにしたので、傾斜区間Ｌ3 によって前輪３ａの後方への移動が規制され、引戸３を前方位置に確実に保持することができる。
【００１７】
【発明の効果】
以上説明したように、請求項１のショーケースによれば、引戸収容部の外部に位置する引戸と引戸収容部の上面との間の段差を解消することができるので、外観上の見栄えを向上させることができる。
【００１８】
また、請求項２のショーケースによれば、請求項１の効果に加え、引戸を引戸レールの勾配による大きな抵抗を受けることなく前方へ移動させることができるので、引戸の開閉操作を常に円滑に行うことができる。
【００１９】
また、請求項３のショーケースによれば、請求項２の効果に加え、支持部材の所定方向一端側における他端側への移動を規制することができるので、引戸を所定方向一端側に確実に保持することができる。
【図面の簡単な説明】
【図１】本発明の一実施形態を示すショーケースの全体斜視図
【図２】ショーケースの正面断面図
【図３】ショーケースの側面断面図
【図４】ショーケースの要部平面図
【図５】引戸の要部平面図
【図６】引戸レールの側面図
【図７】引戸の動作説明図
【符号の説明】
１…ショーケース本体、３…引戸、３ａ…前輪、３ｂ…後輪、４…引戸レール、４ａ…第１レール部、４ｂ…第２レール部、５…引戸収容部。
【図１】
0003865456.tif 000002
【図２】
0003865456.tif 000003
【図３】
0003865456.tif 000004
【図４】
0003865456.tif 000005
【図５】
0003865456.tif 000006
【図６】
0003865456.tif 000007
【図７】
0003865456.tif 000008